(57)【要約】  ばねエンドキャップは、中心軸線と、第１および第２の平行かつ平坦な端部と、第１および第２の周面と、を有する。平坦な端部は、中心軸線に対して直交している。第１の平坦な端部の外径は、第２の平坦な端部の外径よりも大きい。第１および第２の周面は、平坦な両端部の間に、軸線を中心として配置されている。第１の周面は、第１の平坦な端部と第２の周面との間に配置されている。第１の周面は、第２の周面の直径よりも小さい直径を有している。
2019522756.tif 000002
【特許請求の範囲】
【請求項１】
ばねエンドキャップであって、
中心軸線と、
前記中心軸線に対して直交する、第１および第２の平行かつ平坦な端部であって、前記第１の平坦な端部の外径は、前記第２の平坦な端部の外径よりも大きい、第１および第２の平坦な端部と、
前記平坦な端部の間に、前記軸線を中心として配置された第１および第２の周面であって、前記第１の周面は、前記第１の平坦な端部と前記第２の周面との間に配置され、前記第２の周面の直径よりも小さい直径を有している、第１および第２の周面と、
を有する、ばねエンドキャップ。
【請求項２】
前記第１の周面の直径は、前記第２の平坦な端部の外径よりも大きい、または
前記第２の周面の直径は、前記第２の平坦な端部の外径よりも大きい、
請求項１記載のばねエンドキャップ。
【請求項３】
前記第２の周面と前記第２の平坦な端部との間に延在する、前記軸線を中心として配置された第１の円錐面、または
前記第１の周面と前記第２の周面との間に延在する、前記軸線を中心として配置された第２の円錐面をさらに有する、請求項１記載のばねエンドキャップ。
【請求項４】
第３の平坦面をさらに有し、該平坦面は、
前記第１の平坦な端部に対して平行であって、
前記第１の平坦な端部の外径と等しい外径を有し、かつ
軸方向で前記第１の平坦な端部と前記第１の周面との間に配置されている、
請求項１記載のばねエンドキャップ。
【請求項５】
前記第１の平坦な端部と前記第３の平坦面との間に延在する第３の周面をさらに有している、請求項４記載のばねエンドキャップ。
【請求項６】
アンダカット部をさらに有し、該アンダカット部は、
前記第３の平坦面から前記第１の平坦な端部に向かって延在する第３の円錐面と、
前記第３の円錐面から延在する、前記第１の平坦な端部に対して平行な第４の平坦面と、
前記第４の平坦面を前記第１の周面に接続する部分的ドーナツ形面と、
を有する、請求項４記載のばねエンドキャップ。
【請求項７】
ばねアッセンブリであって、
請求項１記載のばねエンドキャップと、
前記ばねエンドキャップに固定して取り付けられたコイルばねと、
を有している、ばねアッセンブリ。
【請求項８】
組み立てられていない状態で、前記コイルばねは、第１の内径を有する第１の端部コイルと、前記第１の内径よりも大きな第２の内径を有する第２のコイルと、を含む、請求項７記載のばねアッセンブリ。
【請求項９】
前記コイルばねは、少なくとも１つの非作動コイルと、複数の作動コイルと、を含み、
前記少なくとも１つの非作動コイルの全ては、前記ばねエンドキャップに接触しており、かつ
前記複数の作動コイルの全ては、前記ばねエンドキャップに接触していない、
請求項７記載のばねアッセンブリ。
【請求項１０】
前記コイルばねはアーチ状である、請求項７記載のばねアッセンブリ。
【発明の詳細な説明】
【技術分野】
【０００１】
本発明は、一般にばねエンドキャップに関し、より具体的には、保持性が改善されたばねエンドキャップに関する。
【背景技術】
【０００２】
エンドキャップを備えたばねが公知である。例は、米国特許第５７７２５１５号明細書および米国特許第６０４１９０５号明細書に示されている。
【発明の概要】
【課題を解決するための手段】
【０００３】
例示態様は、広くは、中心軸線と、第１および第２の平行かつ平坦な端部と、第１および第２の周面と、を有するばねエンドキャップを含む。平坦な端部は、中心軸線に直交している。第１の平坦な端部の外径は、第２の平坦な端部の外径よりも大きい。第１および第２の周面は、平坦な両端部の間に、軸線を中心として配置されている。第１の周面は、第１の平坦な端部と第２の周面との間に配置されている。第１の周面は、第２の周面の直径よりも小さい直径を有している。
【０００４】
一実施例では、第１の周面の直径は、第２の平坦な端部の外径よりも大きい。一実施例では、第２の周面の直径は、第２の平坦な端部の外径よりも大きい。一実施例では、ばねエンドキャップは、第２の周面と第２の平坦な端部との間に延在する、軸線を中心として配置された第１の円錐面を有している。一実施例では、ばねエンドキャップは、第１の周面と第２の周面との間に延在する、軸線を中心として配置された第２の円錐面を有している。
【０００５】
いくつかの実施例では、ばねエンドキャップは第３の平坦面を有している。第３の平坦面は、第１の平坦な端部に対して平行であって、第１の平坦な端部の外径に等しい外径を有し、かつ軸方向で第１の平坦な端部と第１の周面との間に配置されている。一実施例では、ばねエンドキャップは、第１の平坦な端部と第３の平坦面との間に延在する第３の周面を有している。一実施例では、ばねエンドキャップはアンダカット部を有している。このアンダカット部は、第３の平坦面から第１の平坦な端部に向かって延在する第３の円錐面と、第３の円錐面から延在する、第１の平坦な端部に対して平行な第４の平坦面と、第４の平坦面を第１の周面に接続する部分的ドーナツ形面と、を有している。
【０００６】
別の実施例は、広くは、ばねエンドキャップと、ばねエンドキャップに固定して取り付けられたコイルばねと、を備えるばねアッセンブリを含む。いくつかの実施例では、組み立てられていない状態で、コイルばねは、第１の内径を有する第１の端部コイルと、第１の内径よりも大きな第２の内径を有する第２のコイルと、を含む。一実施例では、第１の内径は、第１の周面の直径よりも小さい。いくつかの実施例では、コイルばねは、少なくとも１つの非作動コイルと、複数の作動コイルと、を含む。少なくとも１つの非作動コイルの全ては、ばねエンドキャップに接触しており、複数の作動コイルの全ては、ばねエンドキャップに接触していない。一実施例では、コイルばねは、少なくとも１つの非作動コイルから複数の作動コイルへと延在する少なくとも１つの移行コイルを含む。一実施例では、コイルばねはアーチ状である。
【０００７】
以下、本発明の性質および作動モードを、添付の図面に関連した以下の詳細な説明においてより詳細に説明する。
【図面の簡単な説明】
【０００８】
【図１】一例示態様による、改善された保持性を備えたばねエンドキャップを示す断面図である。
【図２】締め代を示す、ばねと組み立てられた図１のばねエンドキャップの詳細な断面図である。
【図３】図２のばねアッセンブリの断面図である。
【発明を実施するための形態】
【０００９】
最初に、異なる図面に記載された類似の符号は、同一のまたは機能的に類似の構造要素を示すことを理解されたい。さらに、本発明は、本明細書に記載された特定の実施形態、方法、材料、および改良にのみ限定されるものではなく、したがって当然、変更されてよいことを理解されたい。さらに、本明細書で使用される用語は、特定の態様のみを説明するためのものであり、添付の特許請求の範囲によってのみ限定される本発明の範囲を限定するものではないことが理解される。
【００１０】
別段の定めがない限り、本明細書において使用される全ての技術用語および科学用語は、本発明が属する技術の分野における当業者によって一般的に理解されるのと同じ意味を有する。本明細書に記載されているものと類似のまたは均等な任意の方法、装置、材料を、本発明の実施または試験において使用することができるが、ここでは、以下の例示的な方法、装置、および材料を説明する。
【００１１】
以下の説明は図１を参照して行われる。図１は、一例示態様による、保持性が改善されたばねエンドキャップ１００を示す断面図である。ばねエンドキャップ１００は、中心軸線１０２と、この中心軸線に直交する、平行かつ平坦な端部１０４および１０６とを有する。平坦な端部１０４の外径１０８は、平坦な端部１０６の外径１１０よりも大きい。ばねエンドキャップ１００はさらに、軸線１０２を中心として配置された周面１１２および１１４を、平坦な端部１０４と１０６との間に有する。周面１１２は、平坦な端部１０４と周面１１４との間に配置されている。面１１２は、周面１１４の直径１１８よりも小さい直径１１６を有している。周面１１２の直径１１６は、平坦な端部１０６の直径１１０よりも大きい。周面１１４の直径１１８は、平坦な端部１０６の外径１１０よりも大きい。
【００１２】
エンドキャップ１００はさらに、軸線１０２を中心として配置された円錐面１２０を有し、この円錐面は、周面１１４と平坦な端部１０６との間に延在している。エンドキャップ１００はさらに、軸線１０２を中心として配置された円錐面１２２を有し、この円錐面は、周面１１２と１１４との間に延在している。エンドキャップ１００は平坦面１２４を有している。この面１２４は、平坦な端部１０４に対して平行である。この面１２４は、平坦な端部１０４の外径１０８に等しい外径１２６を有している。この面１２４は、軸方向で平坦な端部１０４と周面１１２との間に配置されている。ばねエンドキャップ１００は、平坦な端部１０４と平坦面１２４との間に延在する周面１２８を有する。
【００１３】
エンドキャップ１００はアンダカット部１２８を有する。アンダカット部１２８は、平坦面１２４から平坦な端部１０４に向かって延在する円錐面１３０を有する。アンダカット部１２８はさらに、平坦な端部１０４に対して平行な、円錐面１３０から延在する平坦面１３２を有する。アンダカット部はさらに、平坦面１３２を周面１１２に接続する部分的ドーナツ形面１３４を有する。
【００１４】
以下の説明は図１〜図２を参照して行われる。図２は、締め代を示す、ばね２０２と組み立てられた図１のばねエンドキャップ１００の詳細な断面図である。ばねアッセンブリ２００は、ばねエンドキャップ１００と、ばねエンドキャップ１００に固定して取り付けられたコイルばね２０２とを含む。組み立てられていない状態では（または図２に締め代によって示すように）、コイルばね２０２は内径２０６を有する端部コイル２０４と、内径２１０を有するコイル２０８とを含む。内径２１０は内径２０６よりも大きい。内径２０６は、周面１１２の直径１１６よりも小さい。コイルばね２０２は、非作動コイル２１２と作動コイル２１４とを含む。非作動コイルとは、互いに当接し合う隣接するばねコイルであって、ばねのこの部分では圧縮がないようになっているばねコイルを意味する。非作動コイル２１２は、（締め代領域２１６により示したように）ばねエンドキャップ１００に接触している。作動コイル２１４はエンドキャップ１００と接触していない。ばね２０２は、非作動コイル２１２から作動コイル２１４へと延在する移行コイル２１８を含む。
【００１５】
以下の説明は図１〜図３を参照して行われる。図３は、図２のばねアッセンブリ２００の断面図である。コイルばね２０２はアーチ状である。別の用途（図示せず）では、ばね２０２は直線ばねであってもよい。
【００１６】
ばねとエンドキャップとの間の２段階の（すなわち、面１１２および１１４における）締め代により、ばね２０２におけるエンドキャップ１００の保持性が改善される。すなわち、面１１２に形成された溝は、２つの方向で保持することによってばね上にエンドキャップを保持する。例えば、ばねはコイル２１２の圧縮によって面１１２上に保持され、エンドキャップからばねを取り外すには、より大きな直径の面１１４を越えるようにコイル２１２を拡張させる必要がある。溝は、面１１４および１２０における移行コイル２１８のプレス嵌めとの関連で機能する。面１１２および１１４の軸方向の長さは、ワイヤ径と非作動コイルの数に基づき選択される。作動コイル２１４は、耐久性を改善するためにエンドキャップとの接触を回避するのに十分大きい直径を備えるように設計されている。しかし、移行コイルは、応力の関係で直径間の積極的な移行を回避しなければならないが、より大きな作動コイルを許容し、エンドキャップとの最大限の締め代を許容しなければならない。
【００１７】
本発明の上述した例の変更および改良形は、請求項に記載した本発明の思想および範囲を逸脱することなく、一般的な当業者には勿論可能であろう。本発明を、特に好適な、かつ／または例としての実施形態を参照して説明したが、請求項に記載した本発明の範囲または思想を逸脱することなく、変化形態を成し得ることは明らかである。
【図１】
2019522756.tif 000003
【図２】
2019522756.tif 000004
【図３】
2019522756.tif 000005
【国際調査報告】
2019522756.tif 000006
2019522756.tif 000007